(57)【特許請求の範囲】
【請求項１】
後方に洋式便器が出入可能な出入口を開設し平視Ｕ字形の台座が支持される複数の杆より成る本体フレームの左右両側に車輪が回転自在に取り付けられると共に、背凭れ部が設けられ、
前記台座上には隙間を介してシート部が配設され、且つ前記台座と前記シート部の対向する左右何れか一側部が枢着手段により接続され、
前記台座の上方をシート部が平行な位置関係をもって上昇し、上昇後に前記シート部が前記枢着部を中心として起伏動することで、前記台座をシート部で隠顕可能にするシート部昇降傾斜手段を前記台座と前記シート部に設け、
前記シート部昇降傾斜手段は、台座の左右何れか一側部にガイド筒をガイド筒の軸心を上下方向に沿わせて取り付け、
前記ガイド筒の内側には枢着手段により連結された下側中空角柱状体と上側中空角柱状体とを摺動可能に配設し、前記下側中空角柱状体の下部には下方向付勢手段を設け、
シート部の側板と上側中空角柱状体上面を重合可能に枢着手段により取り付け、
前記上側中空角柱状体には上側中空角柱状体上面に設けた開口より突出する作動棒を上側中空角柱状体の軸心と平行に配設し、該作動棒の下端には先端に係止爪を具備した係止杆を枢着し、
前記作動棒に下方向への力を作用しない状態では、前記係止爪が下側中空角柱状体上側面の内側面に係止し、
前記シート部側面を上側中空角柱状体の上側面に重合し作動棒を押し下げると、前記係止爪が下側中空角柱状体上側面の内側面から解放するようにしたことを特徴とする介護用車椅子。
【請求項２】
上記台座の正面に於ける上記枢着部側にはダンパーの一端を取り付け、該ダンパーの他端は上記シート部の正面に於いて前記枢着部とは反対側位置に取り付けたことを特徴とする請求項１に記載の介護用車椅子。
【発明の詳細な説明】
【技術分野】
【０００１】  本発明は、被介護者が着座状態の車椅子を便所内で方向転換する必要性がなく後退動することで台状フレームの内側に洋式便器を配設し、被介護者が一度立ち上がった後に着座すると洋式便器に直接着座し、健常者と同様な使用感を有して排泄行為をすることの可能な介護用車椅子に関する。
【背景技術】
【０００２】  介護用車椅子は背凭れ部の上部に介助ブレーキを設けた非特許文献１若しくは非特許文献２に記載の車椅子が一般的に使用されている。脳梗塞等の脳血管障害の後遺症で半身不随となり排泄に介助を必要とする被介護者が便所で排泄する場合に、非特許文献１若しくは非特許文献２に記載の車椅子を使用すると、被介護者は洋式便器正面と対面する形で車椅子から立ち上がった後に、背中側が洋式便器の正面側を向くように１８０度回転して向きを変換しなければ、洋式便器の便座上面に着座することはできない。半身不随者が立った状態で全身を１８０度方向転換することは極めて困難であり、着座までに排泄が間に合わないという欠点を有していた。
被介護者が車椅子に着座状態で洋式便器正面と対向状態で便所内に入った後、被介護者の背中側が洋式便器正面側に向くように、介護者が車椅子を便所内で１８０度方向転換し、被介護者は立ち上がった状態で後退し、介護者が被介護者の下着を膝まで降ろして便座座面に着座する方法が採られている。この方法であると現場介護者の介助労働が多大である。又、便所のスペースを介護者が車椅子を押して横方向に１８０度回転可能な広いものとする必要性があり、特に家庭内で介護している場合は便所をリフォームしなければならず敷地面及び費用面からして多大の経済的負担を同居家族に強いることになるという欠点を有していた。
上記欠点に鑑みて、車椅子のシート部に排泄口を開設した車椅子が提案されている（例えば、特許文献１〜特許文献３参照）。
特許文献１〜特許文献３に記載の車椅子は、洋式便器の上方に平視楕円形の排泄口を開設したシート部（座部）を設け、被介護者はシート部に着座した状態で排泄をする構成であるので、被介護者の臀部や大腿部背面側がシート部に密着状態となる。又、洋式便座の上方にシート部の裏面が配設されているので、排泄物の飛沫や跳ね返りがシート部の裏面やシート部の排泄口周縁に付着し、拭き取り清掃が使用の都度必要で、介護者の清掃手間を要し、且つ不衛生であるという問題点があった。
１対のベアリングスライドレールを座部左右両側に平行に設け、複数の座板を蝶番付けした座席を前方へ下降して車椅子の下方に位置せしめた洋式便器を露出させる構成の介護用車椅子が提案されている（例えば、特許文献４参照）。
特許文献４に記載の介護用車椅子であると、被介護者が直接的に洋式便器の便座上面に着座可能であるため、車椅子が排泄物の跳ね返り等で汚損されることが無く、衛生面の課題は解決される。しかしながら、被介護者が着座中は座面が前方にて垂下しているため、着座者は大腿部に対して下腿部が鈍角を以って膝を曲げた姿勢で着座しており、足の裏から床面に対して作用する力が弱く、極めて立ち上がりにくいという問題点があった。
【非特許文献１】介助ブレーキ付カワムラ−介護用品販売  アトム介護ショップのインターネット上のホームページ
【非特許文献２】車椅子の選び方：セラピーショップのインターネット上のホームページ
【特許文献１】実用新案登録第３０９６６０４号の登録実用新案公報
【特許文献２】実用新案登録第３０７４９１５号の登録実用新案公報
【特許文献３】特開２００４−５７４８８号公報
【特許文献４】特開２００９−１７２１０８号公報
【発明の開示】
【発明が解決しようとする課題】
【０００３】  本願発明は、台状フレームに設けた台座を後方に出入口を開設した平視Ｕ字形にし、シート部で台座上面を被覆し或は露呈するように形成し、車椅子も被介護者も便所内で方向転換することなく非介護者を洋式便器に背中側が向くように立ち上がらせ、立ち位置で再び腰を下ろすことのみの単純動作で洋式便器の便座に直接着座し健常者と同じ使用感で排泄が可能な介護用車椅子を提供することを目的とする。
【課題を解決するための手段】
【０００４】  上記目的を達成するために本願発明のうち請求項１に記載の発明は、後方に洋式便器が出入可能な出入口を開設し平視Ｕ字形の台座が支持される複数の杆より成る本体フレームの左右両側に車輪が回転自在に取り付けられると共に、背凭れ部が設けられ、前記台座上には隙間を介してシート部が配設され、且つ前記台座と前記シート部の対向する左右何れか一側部が枢着手段により接続され、前記台座の上方をシート部が平行な位置関係をもって上昇し、上昇後に前記シート部が前記枢着部を中心として起伏動することで、前記台座をシート部で隠顕可能にするシート部昇降傾斜手段を前記台座と前記シート部に設け、前記シート部昇降傾斜手段は、台座の左右何れか一側部にガイド筒をガイド筒の軸心を上下方向に沿わせて取り付け、前記ガイド筒の内側には枢着手段により連結された下側中空角柱状体と上側中空角柱状体とを摺動可能に配設し、前記下側中空角柱状体の下部には下方向付勢手段を設け、シート部の側板と上側中空角柱状体上面を重合可能に枢着手段により取り付け、前記上側中空角柱状体には上側中空角柱状体上面に設けた開口より突出する作動棒を上側中空角柱状体の軸心と平行に配設し、該作動棒の下端には先端に係止爪を具備した係止杆を枢着し、前記作動棒に下方向への力を作用しない状態では、前記係止爪が下側中空角柱状体上側面の内側面に係止し、前記シート部側面を上側中空角柱状体の上側面に重合し作動棒を押し下げると、前記係止爪が下側中空角柱状体上側面の内側面から解放するようにしたことを特徴とする。
請求項２に記載の発明は、上記台座の正面に於ける上記枢着部側にはダンパーの一端を取り付け、該ダンパーの他端は上記シート部の正面に於いて前記枢着部とは反対側位置に取り付けたことを特徴とする。
【発明の効果】
【０００５】  本願発明は、車椅子本体に設けた台座に後方に出入口を有する平視Ｕ字形状の洋式便器配設部を設けているので、被介護者が介護用車椅子に着座し洋式便器に対して背を向けた状態で車椅子を後退動すると台座の内側に便座付き洋式便器を配設することが出来るという効果がある。又、被介護者は立ち上がった後に同じ位置でそのまま着座すると、直接便座に着座でき、介助者が車椅子を便所内で水平方向に１８０度方向転換したり、或は被介護者が立ち上がり便所内で自力で水平方向に１８０度方向転換することなく、同じ位置に於ける立居動作のみで便座上面に正確に着座できるという効果がある。
介護用車椅子のシート部左右何れか一側部を台座の一側部に枢着しているので、介助者は片手のみでシート部を起こし台座面を開いて平視Ｕ字形台座の内側に露出した洋式便器の便座に介護者を着座させることができ、介助労力が軽減されるという効果がある。
【発明を実施するための形態】
【０００６】  車椅子本体に後方に洋式便器の出入口を開設した洋式便器配設部を設けることで、被介護者が着座状態の車椅子を便所内にて後退動させ洋式便器配設部に洋式便器を配設することを実現した。シート部を台座の一側部に枢着することで、介助者がシート部を持ち上げて台座から分離することなく、片手で枢着されていない側を持ち上げシート部を起こすことで容易に台座面を露出することを実現した。
【実施例１】
【０００７】図１〜図４に示される実施例について説明する。複数の杆を連設して台状の本体フレーム５０が形成されている。車椅子の後方から本体フレーム５０の内側へ洋式便器の出し入れを可能にするために、本体フレーム５０には後側に横杆が設けられていない。本体フレーム５０の上端部には、台座５１が一体的に取り付けられている。台座５１には内側に後方に洋式便器を出し入れするための開口を設け、該開口と連続するＵ字形の切縁よりなる洋式便器配設部を内側に設けている。台座５１の右側面には、ガイド筒５２が取り付けられている。ガイド筒５２は上下両端面を開放した中空角柱状に形成されてなり、台座５１の上下方向（高さ方向）に軸心が沿うように取り付けられている。つまり、ガイド筒５２は、ガイド筒５２の軸心線と台座５１の上面が９０度の角度をなす位置関係になるように台座５１の右側面に取り付けられている。シート部５３の周縁にはシート部５３の上面と９０度の角度を有する側板５４、５４、５４、５４が設けられている。ガイド筒５２の内周面と対応する角柱形状の摺動体５５が、ガイド筒５２の内側にて上下方向に摺動可能に配設されている。摺動体５５は上端面が水平な平坦面に形成され、下端には平坦な上端面を具備するバネ取り付け片５６連設されている。バネ５７は鶴巻バネよりなり、下端はバネ取り付け片５６に取り付けられ、上端は台座５１の右側面に取り付けられている。摺動体５５の上端面と、シート部５３の右側板５４とは蝶番５８が取り付けられている。シート部５３の左側板５４には、台座５１の左側面に設けた係合留め具５９と係脱する係合留め具６０を取り付けている。台座５１の正面に於ける右端部には、ダンパー６１の一端が取り付けられている。台座５１の正面には横方向に延びる長溝３９が穿設されている。ダンパー６１の他端は、長溝３９の左端部に摺動可能に取り付けられている。ダンパー６１はエアダンパーであると、油圧ダンパーであるとを問わない。台座５１の正面の前方（正面方）にはダンパー６１を隠蔽するためのカバー体６２が正面側板５４と平行な位置関係となるように設けられている。シート部５３の正面側板５４の前方（正面方）にはダンパー６１を隠蔽するためのカバー体６３が正面側板５４と平行な位置関係となると共に、シート部５３を台座５１に被覆するとカバー体６２とカバー体６３が同一面上に配設されるようにしている。安全上の見地より、カバー体６３とカバー体６２にも、夫々係合可能な係合留め具を夫々設けるとよい。【０００８】次に作用及び使用方法について説明する。被介護者がシート部５３に着座し洋式便器正面を被介護者の背中側にした状態で、介護者は便所内にて介護用車椅子を後退動をさせ、台座５１の後方開口部より洋式便器を差し入れ、洋式便器を本体フレーム５０の内側及び台座５１の内側に設けたＵ字形洋式便器配設部に配設する。被介護者を立ち上がらせた状態で、介助者は係合留め具６０を係合留め具５９から外し、台座５１からシート部５３を解放する。シート部５３が台座５１を被覆しているときは、図３に示すように摺動体５５はガイド筒５２内をスライドしながら下降し、バネ５７は伸長状態になる。
介助者がシート部５３を上方に持ち上げると、摺動体５５はガイド筒５２内をスライドして上昇し、バネ５７は復元状態になる。シート部５３を上方に持ち上げた状態を保持下で、蝶番５８を中心としてシート部５３を右方向に回転動し、シート部５３の開き操作により、ダンパー６１はダンパー６１は伸長する。図２及び図３に示すように、ダンパー６１を伸長させるとシート部５３が立ち上がる。シート部５１の上面の延長線と台座５１の上面延長線は略９０度の角度を有して開き、台座５１の上面が露出する。被介護者は台座５１の内側に配設された洋式便器の便座に着座し排泄する。
排泄が終了すると、被介護者は本体フレーム５０に取り付けたサークル（図示省略）に掴まって立ち上がる。被介護者が立ち上がると、介護者はシート部５３を閉じる。ダンパー６１は縮小してシート部５３は台座５１上に隙間を介して被覆される。
図１〜図４に示される介護用車椅子は介助者が片手で操作できるという利便性を有する。実施例１は、シート部５３を引き上げ後に回動させて開く構成であるが、これは車輪が大径である場合に車輪に右側側板５４が衝突することを防止するためである。
【実施例２】
【０００９】図５に示される実施例２について説明する。図１〜図４に示される実施例と異なる点は、シート部５３の上面と台座５１上面の延長線が互いに鈍角を以って開くようにしたことである。つまり、摺動体５５の軸心線に対して外傾してシート部５３が開くようにしたことである。７０は、２本の枢軸と３枚の取付片よりなるＷ蝶番である。シート部５３の右側板５４にはＷ蝶番７０の外側に配設される取付片を取り付け、摺動体５５の上端面には対向するもう一枚の外側取付片を取り付けている。Ｗ蝶番７０を構成する３枚の取付片のうち中央に位置する取付片は、摺動体５５の上端面に取り付けられた外側取付片に重合するように載置されている。
介護者がシート部５３を台座５１に対して平行な位置関係をもって上昇させる。シート部５３が上昇する際に、摺動棒５５はガイド筒５２内をスライドして上昇する。介護者がシート部５３を開くとシート部５３は摺動体５５の軸心線に対して外傾し、太った人の身体にシート部５３が接触せず、シート部５３に殆ど接触することなく着座できる。シート部５３を開くと、Ｗ蝶番７０のうち摺動体５５の上端面外側に位置する枢軸を中心としてシート部５３は外側方へ回動し、台座５１の上面に被介護者が着座可能に露出する。
【実施例３】
【００１０】図６〜図９に示される実施例３について説明する。図１〜図４に示される実施例１及び図５に示される実施例２と異なる点は、シート部の昇降傾斜機構である。実施例３の説明をするにあたり、説明を簡単にするために図１〜図４と同様の作用をなす部分は同一符号で説明する。
ガイド筒５２は上下両端面を開放した中空角柱状に形成され、周面のうち一側面が台座５１の右側面に一体的に取り付けられている。下側中空角柱状体７１と上側中空角柱状体７２は人々の軸心線が同一線上に位置し、且つ蝶番の枢軸７３が外側に配置される枢着手段により上下方向に接続されている。つまり、枢軸７３の２枚の取付板のうち一方の取付板は下側中空角柱状体７１の上側面に、他方の取付板は上側中空角柱状体７２の下側面に固定的に取り付けられ、上側中空角柱状体７２が枢軸を中心として下側中空角柱状体７１が外側方に回動するようにしている。下側中空角柱状体７１の上端外側と上側中空角柱状体７２の下端外側には窪み部を形成し、該窪み部に蝶番の枢軸７３が配設されている。蝶番の２枚の取付板を重合して閉じると、下側中空角柱状体７１は上側中空角柱状体７２の４側面が夫々一面状に位置し、外視が１本の角柱状になるように連結されている。下側中空角柱状体７１の上側面には開口７４を、上側中空角柱状体７２の下側面には開口７５を夫々対向する位置に開設している。上側中空角柱状体７２の内側には、仕切り板７６を上下側面と平行な位置関係に設けている。上側中空角柱状対７２の上側面と仕切り板７６には対向する位置に作動棒挿通孔が夫々開設され、これら作動棒挿通孔には作動棒７７が遊挿されている。作動棒７７の上端部は、上側中空角柱状体７２の上側面より上方に露出している。上側中空角柱状体７２の上側面と仕切り板７６とで形成される室に於いて、作動棒７７に座金７８が固着されている。座金７８と仕切り板７６との間に於いては、作動棒７７の周面にバネ７９が巻着されている。下端を係止爪に形成し屈曲部を具備したクランク状係止杆８０の上端には作動棒７７の下端を枢着し、該枢着部と係止杆８０の屈曲部との中途位置にはピン８１を上側中空角柱状体７２の正背側面に軸架している。上側中空角柱状体７２の上側面とシート部の側板５４は蝶番８２で連結されている。下側中空角柱状体７１の下端には、平坦な上端面を具備するバネ取り付け片５６連設されている。バネ５７は鶴巻バネよりなり、下端はバネ取り付け片５６に取り付けられ、上端は台座５１の右側面に取り付けられている。【００１１】次に作用について説明する。被介護者がシート部５３に着座状態では、下側中空角柱状体７１と上側中空角柱状体７２の軸心が同一直線上に位置してガイド筒５２内に配設されている。係止杆８０の先端に設けた係止爪は、下側中空角柱状体７１の上側面の内側面に係合し、バネ５７は伸長し、蝶番８２は９０度の角度を有して開いている。被介護者を立ち上がらせた状態で、介護者はシート部５３の係合留め具（図示せず）を台座５１の係合留め具（図示せず）から外し、シート部５３を台座５１の上面に対して平行な位置関係を保持しながら上昇させる。図７に示すように、バネ５７の復元力により下側中空角柱状体７１と上側中空角柱状体７２はガイド筒５２内をスライドして上昇する。シート部５３を起き上がらせ、図８に示すように、シート部５３を外方に回転動させ、蝶番８２を閉じる。側板５４は作動棒７７の上端に圧接して作動棒７７を押し下げ、バネ７９は収縮する。ピン８１を枢軸として係止杆８０は回動し、係止杆８０は下側中空角柱状体７１の上側面の内側面から解放される。図９に示すように、枢軸７３を中心として上側中空角柱状体７２を外方に回転動させる。台座５１の上面が露呈し、被介護者が被介護者は台座５１の内側に配設されている洋式便器の便座面（図示省略）に着座する。被介護者は排泄終了後、サークル（図示省略）に掴まり立ち上がる。介護者は、被介護者が立った状態のときにシート部５３を回転動し、シート部５３を台座５１に重合して閉じる。作動棒７７はシート部５３の圧接作用から解放され、バネ７９の復元力で上昇する。係止杆８０は、ピン８１を枢軸として開口７５から開口７４の方向へ回転動する。係止杆８０の先端に設けた係止爪は、下側中空角柱状体７１の上側面内側面に係止し、下側中空角柱状体７１と上側中空角柱状体７２の軸心が同一直線上に位置してガイド筒５２内に配設される。
実施例３に開示の介護用車椅子は、被介護者が肥満体形の人であっても、上側中空角柱状体７２が外傾することで、着座しやすいという効果がある。【００１２】実施例１〜３においては台座を支持する前後支持の高さが一定のものについて説明したが、本願発明はこれに限定せず、本体フレームを構成する高さ方向に沿って配設される支持杆を伸縮可能にすることで台座の高さ方向位置を調整可能にしたものも包含される。
【図面の簡単な説明】
【００１３】
【図１】介護用車椅子の斜視図である。（実施例１）
【図２】シート部を起立させてダンパーを伸長させた状態を示す介護用車椅子の斜視図である。（実施例１）
【図３】シート部の昇降機構をなす摺動棒、ガイド筒、バネ、台座及びシート部の関係を示す説明図である。（実施例１）
【図４】台座からシート部を上昇後、シート部を開閉動する状態を示す正面説明図である。（実施例１）
【図５】台座からシート部を上昇後、シート部を開閉動する状態を示す正面説明図である。（実施例２）
【図６】下側中空角柱状体と上側中空角柱状体の内部構造を示す一部切欠正面説明図である。（実施例３）
【図７】シート部が上昇したときの下側中空角柱状体、上側中空角柱状体、ガイド筒及びバネの関係を示す右側面説明図である。（実施例３）
【図８】シート部が作動棒を押し下げたときの作動棒、係止杆、バネ及び座金の状態を示す下側中空角柱状体と上側中空角柱状体の内部説明図である。（実施例３）
【図９】上側中空角柱状体を傾斜させた状態を示す一部切欠説明図である。（実施例３）
【符号の説明】
【００１４】５０  本体フレーム
５１  台座
１１  洋式便器配設部
５３  シート部
５２  ガイド筒
５４  側板
５５  摺動体
６１  ダンパー
７１  下側中空角柱状体
７２  上側中空角柱状体
７７  作動棒
８０  係止杆
【図１】
0005105129.tif 000002
【図２】
0005105129.tif 000003
【図３】
0005105129.tif 000004
【図４】
0005105129.tif 000005
【図５】
0005105129.tif 000006
【図６】
0005105129.tif 000007
【図７】
0005105129.tif 000008
【図８】
0005105129.tif 000009
【図９】
0005105129.tif 000010